(57)【要約】【課題】発光部の発光時における周囲への照射効率を確保しつつ、発光時におけるデザイン性を向上させることのできる照明装置を提供すること。【解決手段】常夜灯ＬＥＤ２１と、マスク２２と、投影レンズ２５と、ケース２６と、を具備する。常夜灯ＬＥＤ２１は、光を発光する。マスク２２は、常夜灯ＬＥＤ２１に対して、常夜灯ＬＥＤ２１から光が照射される側に常夜灯ＬＥＤ２１から離間して配設され、常夜灯ＬＥＤ２１からの照射光が透過することによって絵柄３５を投影する。投影レンズ２５は、マスク２２に対して常夜灯ＬＥＤ２１からの照射光が透過する側に配設され、マスク２２を透過した光を投影する。ケース２６は、常夜灯ＬＥＤ２１とマスク２２と投影レンズ２５とを収納し、常夜灯ＬＥＤ２１で発光した光のうち、少なくとも一部の光を常夜灯ＬＥＤ２１とマスク２２との間から外部に透過させる。【選択図】図５
2015115146.tif 000002
【特許請求の範囲】
【請求項１】
光を発光する発光部と；
前記発光部に対して、前記発光部から光が照射される側に前記発光部から離間して配設され、前記発光部からの照射光が透過することによって絵柄を投影するマスクと；
前記マスクに対して前記発光部からの照射光が透過する側に配設され、前記マスクを透過した光を投影する投影レンズと；
前記発光部と前記マスクと前記投影レンズとを収納し、前記発光部で発光した光のうち、少なくとも一部の光を前記発光部と前記マスクとの間から外部に透過させるケースと；
を具備する照明装置。
【請求項２】
前記発光部で発光し、前記マスクを透過した光が前記投影レンズから照射されることにより絵柄が投影される被投影部材を具備する請求項１に記載の照明装置。
【請求項３】
前記被投影部材は半透明の部材からなり、
前記投影レンズから照射された光による絵柄は、前記被投影部材で結像し、前記被投影部材における前記投影レンズから光が照射される面の反対側の面にも表示される請求項２に記載の照明装置。
【請求項４】
前記発光部は、常夜灯の光源として用いられる請求項１〜３のいずれか１項に記載の照明装置。
【発明の詳細な説明】
【技術分野】
【０００１】
本発明の実施形態は、照明装置に関する。
【背景技術】
【０００２】
住宅の部屋の天井等に設置される引掛シーリングに直接取り付ける照明装置である、いわゆるシーリングライトの多くは、シーリングライトの使用時に点灯させる光源の他に、就寝中等に暗闇を避ける目的で少ない光量で点灯させ続ける常夜灯を備えている。
【先行技術文献】
【特許文献】
【０００３】
【特許文献１】特開２０１２−４００６号公報
【発明の概要】
【発明が解決しようとする課題】
【０００４】
ここで、照明装置の中には、発光部からの光を、単に周囲を明るく照らすためのみでなく、絵柄や文字が表示されているマスク状の部材に対して発光部からの光を透過させ、透過した光を他の部材に対して照射させることにより、絵柄や文字を投影するものがある。しかし、このように絵柄等を投影する場合、発光部で発光した光の多くは絵柄の投影に用いられてしまうため、この発光部で周囲を明るくするのは、困難なものとなる。特に、常夜灯は、暗闇を避ける程度の少ない光量で点灯させるものであり、元々光量が少ないため、デザイン性を考慮して常夜灯で絵柄等を投影する場合、周囲を照射するための光量が少なくなる。このように、発光部の発光時におけるデザイン性と、発光部からの光を所望の光量で周囲に対して照射することとを両立することは、大変困難なものとなっていた。
【０００５】
本発明は、上記に鑑みてなされたものであって、発光部の発光時における周囲への照射効率を確保しつつ、発光時におけるデザイン性を向上させることのできる照明装置を提供することを目的とする。
【課題を解決するための手段】
【０００６】
実施形態の照明装置は、発光部と；マスクと；投影レンズと；ケースと；を具備する。発光部は、光を発光する。マスクは、発光部に対して、発光部から光が照射される側に発光部から離間して配設され、発光部からの照射光が透過することによって絵柄を投影する。投影レンズは、マスクに対して発光部からの照射光が透過する側に配設され、マスクを透過した光を投影する。ケースは、発光部とマスクと投影レンズとを収納し、発光部で発光した光のうち、少なくとも一部の光を発光部とマスクとの間から外部に透過させる。
【発明の効果】
【０００７】
本発明によれば、発光部の発光時における周囲への照射効率を確保しつつ、発光時におけるデザイン性を向上させることができる。
【図面の簡単な説明】
【０００８】
【図１】図１は、実施形態に係る照明装置の構成を示す平面図である。
【図２】図２は、図１のＡ−Ａ断面図である。
【図３】図３は、図２の斜視図である。
【図４】図４は、図２に示すセードの斜視図である。
【図５】図５は、図２のＢ部詳細図である。
【図６】図６は、図２に示す常夜灯の点灯時の説明図である。
【図７】図７は、常夜灯の点灯時における絵柄がセードで結像した状態を示す説明図である。
【図８】図８は、実施形態に係る照明装置の変形例であり、常夜灯に配光調整レンズを設けた状態を示す説明図である。
【発明を実施するための形態】
【０００９】
以下で説明する実施形態に係る照明装置１は、常夜灯ＬＥＤ２１と、マスク２２と、投影レンズ２５と、ケース２６と、を具備する。常夜灯ＬＥＤ２１は、光を発光する。マスク２２は、常夜灯ＬＥＤ２１に対して、常夜灯ＬＥＤ２１から光が照射される側に常夜灯ＬＥＤ２１から離間して配設され、常夜灯ＬＥＤ２１からの照射光が透過することによって絵柄３５を投影する。投影レンズ２５は、マスク２２に対して常夜灯ＬＥＤ２１からの照射光が透過する側に配設され、マスク２２を透過した光を投影する。ケース２６は、常夜灯ＬＥＤ２１とマスク２２と投影レンズ２５とを収納し、常夜灯ＬＥＤ２１で発光した光のうち、少なくとも一部の光を常夜灯ＬＥＤ２１とマスク２２との間から外部に透過させる。
【００１０】
また、以下で説明する実施形態に係る照明装置１は、常夜灯ＬＥＤ２１で発光し、マスク２２を透過した光が投影レンズ２５から照射されることにより絵柄３５が投影されるセード１５を具備する。
【００１１】
また、以下で説明する実施形態に係る照明装置１では、セード１５は半透明の部材からなり、投影レンズ２５から照射された光による絵柄３５は、セード１５で結像し、セード１５における投影レンズ２５から光が照射される面の反対側の面にも表示される。
【００１２】
また、以下で説明する実施形態に係る照明装置１では、常夜灯ＬＥＤ２１は、常夜灯２０の光源として用いられる。
【００１３】
〔実施形態〕
次に、実施形態に係る照明装置を図面に基づいて説明する。図１は、実施形態に係る照明装置の構成を示す平面図である。図２は、図１のＡ−Ａ断面図である。図３は、図２の斜視図である。同図に示す照明装置１は、部屋の天井に設置されるシーリングライトとして構成されている。照明装置１は、略円板状の形状で形成される本体部２を有しており、本体部２は、円形の中心部分付近に、当該照明装置１を天井に取り付ける際に用いる孔である器具取付孔３が形成されている。この器具取付孔３の周囲には、当該照明装置１で用いる電流を制御する回路基板７が配設されている。
【００１４】
また、照明装置１は、円板の一方の面側に、光源として多数のＬＥＤ（Ｌｉｇｈｔ  Ｅｍｉｔｔｉｎｇ  Ｄｉｏｄｅ）１０を備えている。この多数のＬＥＤ１０は、リング状に形成され、回路基板７を囲んで配設される内側ＬＥＤ基板１１と、内側ＬＥＤ基板１１よりも大きい径のリング状に形成され、内側ＬＥＤ基板１１を囲んで配設される外側ＬＥＤ基板１２とに設けられている。
【００１５】
例えば、内側ＬＥＤ基板１１に設けられる多数のＬＥＤ１０は、円板状に形成される本体部２の中心からの距離が全て同じ距離で、本体部２の中心を中心とする円周方向の間隔が等間隔となって配設されている。同様に、外側ＬＥＤ基板１２に設けられる多数のＬＥＤ１０は、円板状に形成される本体部２の中心からの距離が全て同じ距離で、本体部２の中心を中心とする円周方向の間隔が等間隔となって配設されている。即ち、内側ＬＥＤ基板１１と外側ＬＥＤ基板１２との形状や、内側ＬＥＤ基板１１に設けられる多数のＬＥＤ１０の配設状態、及び外側ＬＥＤ基板１２に設けられる多数のＬＥＤ１０の配設状態は、全て径が異なる同心円になっている。
【００１６】
また、回路基板７には、これらのＬＥＤ１０の駆動制御を行うＬＥＤ駆動回路８が設けられている。このＬＥＤ駆動回路８は、内側ＬＥＤ基板１１のＬＥＤ１０と、外側ＬＥＤ基板１２のＬＥＤ１０とをそれぞれ独立して駆動させることが可能になっている。つまり、ＬＥＤ駆動回路８は、ＬＥＤ駆動回路８への入力信号に応じて、内側ＬＥＤ基板１１のＬＥＤ１０の点灯制御と、外側ＬＥＤ基板１２のＬＥＤ１０の点灯制御とを、それぞれ独立して行うことが可能になっている。
【００１７】
ＬＥＤ駆動回路８には、照明装置１が設置される部屋の壁に設けられるスイッチ等の操作装置（図示省略）に対して、使用者が操作を行うことにより、操作に応じた信号が入力される。ＬＥＤ駆動回路８は、このように操作装置からの信号に応じて作動し、操作装置の操作に応じてＬＥＤ１０を駆動することにより、内側ＬＥＤ基板１１のＬＥＤ１０や外側ＬＥＤ基板１２のＬＥＤ１０の点灯状態の制御が可能になっている。
【００１８】
図４は、図２に示すセードの斜視図である。本体部２における、ＬＥＤ１０が配設されている側の面側には、セード１５が設けられている。セード１５は、樹脂材料等からなり、半透明のドーム状の形状で形成されている。つまり、セード１５は、平面視における形状が、本体部２の径と同程度の径からなる円形になり、本体部２の外周寄りの位置では、円形の軸心方向における本体部２との距離が小さく、本体部２の中心に向かうに従って、軸心方向における本体部２との距離が大きくなる形状になっている。
【００１９】
このように形成されるセード１５には、外周部分における内面１６側に、本体部２と嵌合するセード側嵌合部１８が形成されており、本体部２には、外周部分に、セード１５と嵌合する本体部側嵌合部４が形成されている。セード１５は、セード側嵌合部１８を、本体部側嵌合部４に嵌合することにより、本体部２に装着される。このため、セード１５は、セード１５の形状であるドーム状の内面１６が、本体部２が位置する側に対向し、外面１７は、本体部２が位置する側の反対側に面して、照明装置１の外面を構成する。
【００２０】
さらに、回路基板７上には、照光部である常夜灯２０が配設されている。この常夜灯２０は、円板状の本体部２におけるＬＥＤ１０が配設される面と同じ面に配設されている。つまり、多数のＬＥＤ１０と常夜灯２０は、全て本体部２とセード１５とによって画成される空間内に配設されている。この常夜灯２０も、内側ＬＥＤ基板１１や外側ＬＥＤ基板１２に設けられるＬＥＤ１０と同様に、ＬＥＤ駆動回路８によって駆動制御が行われ、操作装置の操作に応じて点灯制御が行われる。
【００２１】
図５は、図２のＢ部詳細図である。常夜灯２０は、光を発光する発光部である常夜灯ＬＥＤ２１を備えており、この常夜灯ＬＥＤ２１が発光することにより、点灯することが可能になっている。即ち、常夜灯ＬＥＤ２１は、常夜灯２０の光源として用いられている。なお、常夜灯ＬＥＤ２１は、指向角が狭いＬＥＤであることが望ましい。ここでいう指向角が狭いＬＥＤとは、半値全角が６０°以下、好適には３０°以下であることが好ましい。また、常夜灯２０は、常夜灯ＬＥＤ２１からの照射光が透過することによって絵柄３５（図７参照）や文字を投影するマスク２２と、マスク２２を透過した光を投影する投影レンズ２５と、を備えている。これらのマスク２２と投影レンズ２５とは、略円筒形の形状で形成されるケース２６によって保持されている。
【００２２】
詳しくは、ケース２６は、回路基板７上に配設されている常夜灯ＬＥＤ２１が円筒形内に位置するように、ケース２６の一端が回路基板７に連結されている。つまり、ケース２６は、円筒形の一端側が常夜灯ＬＥＤ２１の周囲に位置し、常夜灯ＬＥＤ２１を収納する状態で、本体部２とセード１５とで画成させる空間内に配設されている。
【００２３】
マスク２２は、外径がケース２６の内径と同程度になる円板状の形状で形成されており、透明な部材で形成されることにより光を透過する部分である透光部２３と、光を透過せず、光を遮る部分である遮光部２４とを有している。この透光部２３と遮光部２４との境界部分の形状は、任意の絵柄の形状で形成されている。このマスク２２は、例えば、白黒のポジフィルムを使用することができ、この場合は、フィルムの透明な部分が透光部２３になり、黒い部分が遮光部２４になる。
【００２４】
ケース２６は、内周面における、円筒形の軸方向における中間付近に、マスク２２を保持するマスク保持部２７を有している。円板状のマスク２２は、軸心がケース２６の軸心と一致する向きでケース２６内に位置して、外周部分がマスク保持部２７に係合することにより、ケース２６に保持されている。その際に、マスク２２は、ケース２６の軸方向における中間付近に形成されるマスク保持部２７で保持されるため、常夜灯ＬＥＤ２１に対して、常夜灯ＬＥＤ２１から光が照射される側に常夜灯ＬＥＤ２１から離間して、ケース２６内に配設される。
【００２５】
投影レンズ２５は、外径がケース２６の内径と同程度になるレンズによって形成されている。ケース２６は、回路基板７に連結されている側の端部の反対側の端部に、投影レンズ２５を保持するレンズ保持部２８を有している。投影レンズ２５は、レンズの軸心がケース２６の軸心と一致する向きでケース２６のレンズ保持部２８側の端部を塞ぐようにレンズ保持部２８側に位置して、外周部分がレンズ保持部２８に係合することにより、ケース２６に保持されている。これにより、投影レンズ２５は、マスク２２から見て常夜灯ＬＥＤ２１が位置する側の反対側に、マスク２２から離間して配設されており、即ち、投影レンズ２５は、マスク２２に対して常夜灯ＬＥＤ２１からの照射光が透過する側に配設されている。
【００２６】
これらのようにケース２６は、常夜灯ＬＥＤ２１とマスク２２と投影レンズ２５とを収納し、常夜灯ＬＥＤ２１とマスク２２、及びマスク２２と投影レンズ２５とが、それぞれ所望の位置関係になるように、これらを保持している。また、ケース２６は、透明な部材に形成されており、透光性を有している。即ち、ケース２６における常夜灯ＬＥＤ２１とマスク２２との間の部分、及びケース２６におけるマスク２２と投影レンズ２５との間の部分は、光がケース２６を透過することができるようになっている。
【００２７】
この実施形態に係る照明装置１は、以上のごとき構成からなり、以下、その作用について説明する。照明装置１は、操作装置（図示省略）を操作することにより、照明装置１の点灯状態を切り替える。例えば、照明装置１を、最大の光量で点灯させる場合は、操作装置に対して最大の光量で点灯させる操作を行う。これにより、ＬＥＤ駆動回路８は、内側ＬＥＤ基板１１に設けられるＬＥＤ１０と、外側ＬＥＤ基板１２に設けられるＬＥＤ１０との双方を発光させる。
【００２８】
ＬＥＤ１０からの照射光は、ＬＥＤ１０に対向するセード１５に向かう。セード１５は、半透明の部材で形成されているため、セード１５の内面１６側からセード１５に到達した光は、散乱しながらセード１５を透過し、セード１５の外面１７から出光する。セード１５は、このように光を散乱させながら透過させることにより、セード１５全体から光を照射し、照明装置１は、この照射光により、周囲を照らす。
【００２９】
また、光量を落として照明装置１を点灯させる場合は、操作装置に対して、弱い光量で点灯させる操作を行う。これにより、ＬＥＤ駆動回路８は、内側ＬＥＤ基板１１に設けられるＬＥＤ１０、または外側ＬＥＤ基板１２に設けられるＬＥＤ１０のいずれか一方は消灯させて、他方のＬＥＤ１０のみを発光させる。例えば、内側ＬＥＤ基板１１に設けられるＬＥＤ１０は消灯させ、外側ＬＥＤ基板１２に設けられるＬＥＤ１０のみを発光させる。
【００３０】
これにより、外側ＬＥＤ基板１２のＬＥＤ１０からの照射光は、内側ＬＥＤ基板１１のＬＥＤ１０と外側ＬＥＤ基板１２のＬＥＤ１０との双方を発光させた場合と比較して、少ない光量でセード１５に向かう。セード１５は、この光を散乱させながら透過させることにより、少ない光量の光をセード１５全体から照射し、照明装置１は、この光量が少ない照射光により、周囲を照らす。
【００３１】
また、常夜灯２０を点灯させる場合は、操作装置に対して、常夜灯２０を点灯させる操作を行う。これにより、ＬＥＤ駆動回路８は、内側ＬＥＤ基板１１のＬＥＤ１０と外側ＬＥＤ基板１２のＬＥＤ１０との双方を消灯し、常夜灯２０が有する常夜灯ＬＥＤ２１を発光させる。
【００３２】
図６は、図２に示す常夜灯の点灯時の説明図である。常夜灯ＬＥＤ２１が発光した場合、常夜灯ＬＥＤ２１からの照射光の一部は、常夜灯ＬＥＤ２１からの光が照射される側に配設されているマスク２２に照射される。その際に、常夜灯ＬＥＤ２１は指向角が狭いため、マスク２２は平行光に近い光が照射される。マスク２２は、透光部２３と遮光部２４とを有しているため、マスク２２に照射された光のうち、遮光部２４に向かった光は遮光部２４で遮られ、透光部２３に向かった光は、透光部２３を透過する。ここで、透光部２３と遮光部２４との境界部分の形状は、任意の絵柄の形状で形成されているため、透光部２３を透過した光は、マスク２２の軸心方向に見た場合における形状が、この絵柄の形状で透過する。
【００３３】
マスク２２の透光部２３を透過した光は、マスク２２に対して常夜灯ＬＥＤ２１が位置する側の反対側に位置する投影レンズ２５に向かう。投影レンズ２５は、マスク２２側から入射した光を拡大方向に屈折させながら、マスク２２が位置する側の反対側から出射させる。
【００３４】
この投影レンズ２５から出射する光は、マスク２２の透光部２３の形状で形成された光である投影光３１になっている。投影レンズ２５におけるマスク２２が位置する側の反対側の面は、セード１５の内面１６に対向しているため、投影レンズ２５から出射した投影光３１は、投影レンズ２５によってセード１５の内面１６に投影される。
【００３５】
図７は、常夜灯の点灯時における絵柄がセードで結像した状態を示す説明図である。セード１５は、半透明に形成されているため、セード１５に投影光３１が投影された場合、セード１５において投影光３１が照射されている部分では、マスク２２の透光部２３を透過することにより形成された絵柄３５の形状で、光が散乱してセード１５が光る。つまり、投影レンズ２５は、マスク２２側から入射した光を拡大させる方向に屈折させながら出射するため、平行光に近い状態でマスク２２の透光部２３を透過した光は、拡散方向に投影レンズ２５で屈折して、セード１５に照射される。投影レンズ２５を透過した投影光３１は、このように拡散する状態でセード１５に向けて照射されるため、この投影光３１は、セード１５上に拡大投影される。
【００３６】
これにより、投影レンズ２５から照射された光による絵柄３５は、セード１５で結像し、セード１５における投影光３１が照射された部分は、この絵柄３５の形状で光る。セード１５は、半透明の部材からなるため、投影光３１が照射された部分が絵柄３５の形状で光ることにより、絵柄３５は、セード１５における投影レンズ２５から光が照射される面の反対側の面にも表示され、即ち絵柄３５は、セード１５の内面１６のみでなく、外面１７にも表示される。マスク２２の絵柄３５は、このようにセード１５に投影されて外面１７にも表示されることにより、視認できる状態になる。
【００３７】
また、常夜灯ＬＥＤ２１からの照射光のうち、マスク２２の方向に向かわない光や、マスク２２で反射した光は、常夜灯ＬＥＤ２１とマスク２２との間から抜け出る方向に向かう。この光は、ケース２６における常夜灯ＬＥＤ２１とマスク２２の間の部分に照射されるが、ケース２６は透明な部材により形成されているため、ケース２６に照射された光は、ケース２６の外部に向かってケース２６を透過する。
【００３８】
同様に、マスク２２の透光部２３を透過した光のうち、投影レンズ２５の方向に向かわない光や、投影レンズ２５で反射した光は、マスク２２と投影レンズ２５との間から抜け出る方向に向かう。この光は、ケース２６におけるマスク２２と投影レンズ２５の間の部分に照射され、透明な部材からなるケース２６の外部に向かってケース２６を透過する。
【００３９】
これらのようにケース２６を透過した光は、漏れ光３２として、本体部２とセード１５とで画成される空間内で拡散し、セード１５の広範囲に照射される。セード１５は、この漏れ光３２を散乱して出射させることにより、セード１５全体が光った状態になるが、漏れ光３２は光量が少ないため、セード１５は、弱い光量で全体が光った状態になる。これらのため、常夜灯２０の点灯時は、セード１５全体が弱い光量で光りつつ、セード１５において投影光３１が照射される位置に、絵柄３５が投影されて絵柄の形状でセード１５が光る。
【００４０】
以上の実施形態に係る照明装置１は、絵柄３５を投影させることができるマスク２２を常夜灯２０に設けたため、常夜灯２０の点灯時には、マスク２２に常夜灯ＬＥＤ２１からの光を透過させることにより、絵柄３５を投影することができる。これにより、常夜灯２０の点灯時には、投影された絵柄３５を視認することができるので、常夜灯２０の点灯時の美観を向上させることができる。また、常夜灯２０は、常夜灯ＬＥＤ２１やマスク２２等を収納するケース２６を、透光性を有するものにし、常夜灯ＬＥＤ２１で発光した光のうち一部の光を、常夜灯ＬＥＤ２１とマスク２２との間からケース２６を透過させるようになっている。このため、常夜灯ＬＥＤ２１で発光した光のうち、絵柄３５の投影に用いられない光は、ケース２６を透過させてケース２６外に照射することができるため、この光を用いて照明装置１の周囲を照射することができ、常夜灯ＬＥＤ２１で発光した光を、効果的に用いることができる。これらの結果、常夜灯ＬＥＤ２１の発光時における周囲への照射効率を確保しつつ、発光時におけるデザイン性を向上させることができる。
【００４１】
また、マスク２２を透過した光が投影レンズ２５から照射されることにより絵柄３５が投影されるセード１５を備えているため、常夜灯ＬＥＤ２１の発光時には、セード１５に投影された絵柄３５を視認することにより、常夜灯２０の点灯時の美観を、より確実に向上させることができる。この結果、常夜灯ＬＥＤ２１の発光時におけるデザイン性を、より確実に向上させることができる。
【００４２】
また、投影レンズ２５から照射された光を投影する被投影部材としてセード１５を使用することにより、新たに被投影部材を用いることなく、絵柄３５を投影することができる。この結果、常夜灯２０の点灯時に絵柄３５を投影する場合における部品点数の増加を抑えることができ、常夜灯２０の点灯時のデザイン性を向上させる際における製造コストの上昇を抑えることができる。
【００４３】
また、セード１５は半透明の部材からなり、投影レンズ２５から照射された光による絵柄３５は、セード１５で結像してセード１５の外面１７にも表示されるため、常夜灯ＬＥＤ２１の発光時にセード１５に投影された絵柄３５を、より確実に視認することができる。この結果、常夜灯ＬＥＤ２１の発光時におけるデザイン性を、より確実に向上させることができる。
【００４４】
また、常夜灯ＬＥＤ２１は、常夜灯２０の光源として用いられるため、少ない光量で発光させる常夜灯２０を点灯させた場合に、周囲に照射する照射光の光量が低減することを抑えることができる。この結果、常夜灯２０の点灯時における周囲への光量を確保しつつ、点灯時におけるデザイン性を向上させることができる。
【００４５】
〔変形例〕
図８は、実施形態に係る照明装置の変形例であり、常夜灯に配光調整レンズを設けた状態を示す説明図である。なお、上述した照明装置１では、図８に示すように、常夜灯ＬＥＤ２１と、マスク２２との間に、更に配光調整レンズ２９を設けることができる。配光調整レンズ２９は、常夜灯ＬＥＤ２１から照射される光の配光を調整してマスク２２側に出射するレンズで、例えば、出射光を略平行光にできるコリメータレンズや、出射光を集光させる集光レンズなどとすることができる。これにより、常夜灯ＬＥＤ２１に光の指向角が広いＬＥＤを用いた場合でも、配光調整レンズ２９により配光を調整して、マスク２２に効率良く光を照射させることができる。
【００４６】
また、上述した照明装置１では、マスク２２は白黒のポジフィルムを使用しているが、マスク２２にはこれ以外を用いてもよい。マスク２２には、例えばカラーフィルムを用いてもよい。マスク２２にカラーフィルムを用いた場合は、常夜灯ＬＥＤ２１として白色光を照射するＬＥＤを用いた場合でも、カラーフィルムのマスク２２を透過した光が投影されるセード１５には、カラーの絵柄３５や文字を投影することができる。これにより、常夜灯２０の点灯時のデザイン性を、より向上させることができる。また、マスク２２は、スクリーン印刷やオフセット印刷等で形成してもよい。
【００４７】
また、上述した照明装置１では、ケース２６は透明な部材により形成されているが、ケース２６は、全体が透明でなくてもよい。例えば、マスク保持部２７とレンズ保持部２８には有色の部材が用いられ、ケース２６におけるこれらの部材の間の部分を、透明な部材により形成してもよい。ケース２６は、少なくともマスク２２を格納し、透光性を有していれば、その構成は問わない。
【００４８】
また、常夜灯２０は、マスク２２の交換が可能に構成されていてもよい。常夜灯２０は、例えば、ケース２６のマスク保持部２７付近にスリットを形成し、このスリットからマスク２２を抜き差しすることにより、マスク保持部２７で保持するマスク２２を交換することができるように構成されていてもよい。このように、マスク２２を交換可能に構成することにより、セード１５に投影する絵柄３５を、マスク２２を交換することによって変更することができるため、常夜灯２０の点灯時のデザイン性を、より向上させることができる。
【００４９】
また、上述した照明装置１では、常夜灯２０は固定された状態で配設されているが、常夜灯２０は、可動式にしてもよい。例えば、セード１５に投影される絵柄３５は、セード１５と投影レンズ２５との距離を変化させることにより大きさを変えることができるので、マスク２２と投影レンズ２５との距離が変化する方向に、投影レンズ２５の位置を移動させることができるようにしてもよい。または、セード１５と投影レンズ２５との距離が変化する方向に、常夜灯２０全体を移動させることができるようにしてもよい。これにより、セード１５に投影される絵柄３５の大きさを変化させることができるため、常夜灯２０の点灯時のデザイン性を、より向上させることができる。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５１】
１  照明装置
２  本体部
３  器具取付孔
４  本体部側嵌合部
７  回路基板
８  ＬＥＤ駆動回路
１０  ＬＥＤ
１１  内側ＬＥＤ基板
１２  外側ＬＥＤ基板
１５  セード（被投影部材）
１６  内面
１７  外面
１８  セード側嵌合部
２０  常夜灯
２１  常夜灯ＬＥＤ（発光部）
２２  マスク
２３  透光部
２４  遮光部
２５  投影レンズ
２６  ケース
２７  マスク保持部
２８  レンズ保持部
２９  配光調整レンズ
３１  投影光
３２  漏れ光
３５  絵柄
【図１】
2015115146.tif 000003
【図２】
2015115146.tif 000004
【図３】
2015115146.tif 000005
【図４】
2015115146.tif 000006
【図５】
2015115146.tif 000007
【図６】
2015115146.tif 000008
【図７】
2015115146.tif 000009
【図８】
2015115146.tif 000010